(57)【要約】【課題】 簡単な操作で、同一グループ内の複数の電話機４０において、グループ着信時に鳴動する電話機を自由に設定することができる電話システム１０を提供する。【解決手段】 本発明では、グループ着信鳴動設定装置３０が、複数の電話機４０に同一のグループ番号を同報送信し、同報送信されたグループ番号に対して着信鳴動登録する旨の応答があった電話機４０に対して、同報送信したグループ番号とグループ着信時の鳴動情報を対応付けてグループ着信鳴動管理テーブル格納部３１に登録する。グループ着信鳴動設定装置３０は、グループ着信鳴動の設定が終了した場合に、それぞれの電話機４０の識別情報に対応付けてグループ番号とグループ着信時の鳴動情報を格納するグループ着信鳴動管理テーブルを主装置２０へ送る。主装置２０は、当該グループ着信鳴動管理テーブルを参照して、グループ番号を指定する呼を、当該グループ番号に対応する電話機４０に着信させる。【選択図】 図１
2008227902.tif 000002
【特許請求の範囲】
【請求項１】
複数の電話機とそれぞれの前記電話機の識別情報に対応付けてグループ番号とグループ着信時の鳴動情報を格納するグループ着信鳴動管理テーブルを参照して着信先の電話機のグループ番号を指定する呼を当該グループ番号に対応する電話機へ着信させる主装置とそれぞれの前記電話機にグループ着信時の鳴動情報を設定するグループ着信鳴動設定装置とを備える電話システムであって、
前記グループ着信鳴動設定装置は、
グループ番号を含む番号通知を前記複数の電話機へ同報送信するグループ番号送信手段と前記複数の電話機のいずれかから当該電話機の識別情報を含むグループ着信鳴動登録要求を受信した場合に当該グループ着信鳴動登録要求に含まれる電話機の識別情報に同報送信された前記番号通知に含まれていたグループ番号とグループ着信時の鳴動情報を対応付けて前記グループ着信鳴動管理テーブルに登録するグループ着信鳴動登録手段とを有し、
前記複数の電話機のそれぞれは、
前記グループ着信鳴動設定装置から前記番号通知を受信した場合に、当該番号通知に含まれているグループ番号を表示する表示手段と、
ユーザからの操作情報を受け付ける操作手段と、
前記表示手段によって表示されているグループ番号に対して自電話機を着信鳴動登録する旨の第一の操作を前記操作手段を介してユーザから受け付けた場合に、自電話機の識別情報を含むグループ着信鳴動登録要求を前記グループ着信鳴動設定装置へ送信するグループ着信鳴動登録要求手段とを有することを特徴とする電話システム。
【請求項２】
請求項１に記載の電話システムであって、
前記複数の電話機のそれぞれは、
電話機のグループ着信鳴動を設定するためのグループ着信鳴動設定処理の開始を要求する旨の第二の操作を前記操作手段を介してユーザから受け付けた場合に当該グループ着信鳴動設定処理の開始を要求するグループ着信鳴動設定開始要求を前記グループ着信鳴動設定装置へ送信するグループ着信鳴動設定開始要求手段をさらに有し、
前記グループ着信鳴動設定装置は、
前記複数の電話機のいずれかから前記グループ着信鳴動設定開始要求を受信した場合に、グループ番号を１つ選択し選択したグループ番号を含む番号通知を前記グループ番号送信手段に同報送信させるグループ番号選択手段をさらに有することを特徴とする電話システム。
【請求項３】
請求項２に記載の電話システムであって、
前記グループ着信鳴動設定装置は、
グループ着信時の鳴動情報を登録する対象となる電話機の識別情報を格納する電話機情報格納手段をさらに有し、
前記グループ番号選択手段は、
前記グループ着信鳴動登録手段によって前記グループ着信鳴動登録要求を送信してきた電話機の識別情報にグループ番号とグループ着信時の鳴動情報が対応付けられて前記グループ着信鳴動管理テーブルに登録された後に前記グループ着信鳴動管理テーブルおよび前記電話機情報格納手段を参照してグループ着信時の鳴動情報が一台も対応付けられていない電話機の識別情報が残っているグループ番号がある場合には予定められたルールに従って次のグループ番号を選択し選択したグループ番号を含む番号通知を前記グループ番号送信手段に同報送信させることを特徴とする電話システム。
【請求項４】
請求項３に記載の電話システムであって、
前記電話機のグループ着信鳴動設定開始要求手段は、
前記グループ着信鳴動設定処理において前記複数の電話機に最初に同報送信される番号通知に含まれるグループ番号を示す第三の操作を前記操作手段を介してユーザから受け付けた後に前記第二の操作を前記操作手段を介してユーザから受け付けた場合に当該第三の操作で示されたグループ番号を前記グループ着信鳴動設定開始要求に含めて前記グループ着信鳴動設定装置へ送信し、
前記グループ着信鳴動設定装置のグループ番号選択手段は、
前記複数の電話機のいずれかから受信したグループ着信鳴動設定開始要求に含まれているグループ番号を前記複数の電話機へ最初に同報送信する番号通知に含めるグループ番号として選択することを特徴とする電話システム。
【請求項５】
複数の電話機にグループ着信時の鳴動情報を設定するグループ着信鳴動設定装置であって、
グループ番号を含む番号通知を、前記複数の電話機へ同報送信するグループ番号送信手段と、
前記複数の電話機のいずれかから当該電話機の識別情報を含むグループ着信鳴動登録要求を受信した場合に、当該グループ着信鳴動登録要求に含まれる電話機の識別情報に同報送信された前記番号通知に含まれていたグループ番号とグループ着信時の鳴動情報を対応付けてグループ着信鳴動管理テーブルに登録するグループ着信鳴動登録手段と
を備えることを特徴とするグループ着信鳴動設定装置。
【請求項６】
請求項５に記載のグループ着信鳴動設定装置であって、
前記複数の電話機のいずれかから話機のグループ着信鳴動を設定するためのグループ着信鳴動設定処理の開始を要求するグループ着信鳴動設定開始要求を受信した場合にグループ番号を１つ選択選択したグループ番号を含む番号通知を前記グループ番号送信手段に同報送信させるグループ番号選択手段をさらに備えることを特徴とするグループ着信鳴動設定装置。
【請求項７】
請求項６に記載のグループ着信鳴動設定装置であって、
グループ着信時の鳴動情報を登録する対象となる電話機の識別情報を格納する電話機情報格納手段をさらに備え、
前記グループ番号選択手段は、
前記グループ着信鳴動登録手段によって前記グループ着信鳴動登録要求を送信してきた電話機の識情報に、グループ番号とグループ着信時の鳴動情報が対応付けられて前記グループ着信鳴動管理テーブルに登録された後に、前記グループ着信鳴動管理テーブルおよび前記電話機情報格納手段を参照して、グループ着信時の鳴動情報が一台も対応付けられていない電話機の識別情報が残っているグループ番号がある場合には、予め定められたルールに従って次のグループ番号を選択し、選択したグループ番号を含む番号通知を、前記グループ番号送信手段に同報送信させることを特徴とするグループ着信鳴動設定装置。
【請求項８】
請求項７に記載のグループ着信鳴動設定装置であって、
前記グループ着信鳴動設定開始要求には、前記グループ着信鳴動設定処理において、前記複数の電話機に最初に同報送信される番号通知に格納されるグループ番号が格納されており、
前記グループ番号選択手段は、
前記複数の電話機のいずれかから受信したグループ番号設定開始要求に含まれているグループ番号を、前記複数の電話機へ最初に同報送信する番号通知に含めるグループ番号として選択することを特徴とするグループ着信鳴動設定装置。
【発明の詳細な説明】
【技術分野】
【０００１】
本発明は、グループ番号を割り当てられた複数の電話機において、グループ着信時に鳴動する電話機を割り当てる技術に関する。
【背景技術】
【０００２】
ビジネスホン等の電話システムの場合、グループ着信時に同一グループ内の全ての電話機が鳴動するのが通例であり、オフィス等に大音量の着信音が響き渡るため、業務に支障を来たす恐れがある。これを軽減するために鳴動端末数を制限する技術がある（例えば特許文献１〜３）。
【０００３】
【特許文献１】特開平５−１４５１６号公報
【特許文献２】特開平５−４９０６３号公報
【特許文献３】特開平６−９８３６２号公報
【発明の開示】
【発明が解決しようとする課題】
【０００４】
上記特許文献１から３では、鳴動端末数を制限するために、電話機毎に鳴動指定と非鳴動指定を管理するテーブルを有しおり、予め電話機一台毎に鳴動指定と非鳴動指定を設定する必要があり、操作が煩雑で設定ミスを発生し易いという問題があった。
【０００５】
本発明は上記事情を鑑みてなされたものであり、本発明の目的は、簡単な操作で、複数の電話機からなる同一グループ内の電話機にグループ着信があった場合に、着信鳴動する電話機を自由に設定できるようにすることにある。
【課題を解決するための手段】
【０００６】
上記課題を解決するために、本発明は、同一グループ番号の複数の電話機に鳴動制御情報を同報送信し、当該グループの代表電話機として鳴動登録する旨の応答があった電話機に対して、当該グループ番号に対する鳴動登録を行う。
【０００７】
例えば、本発明の第１の態様は、複数の電話機と、それぞれの電話機の識別情報に対応付けてグループ番号とグループ着信時の鳴動情報を格納するグループ着信鳴動管理テーブルを参照して、着信先の電話機のグループ番号を指定する呼を、当該グループ番号に対応する電話機へ着信させる主装置と、それぞれの電話機にグループ着信時の鳴動情報を設定するグループ着信鳴動設定装置とを備える電話システムであって、グループ着信鳴動設定装置は、グループ番号を含む番号通知を、複数の電話機へ同報送信するグループ番号送信手段と、複数の電話機のいずれかから、当該電話機の識別情報を含むグループ着信鳴動登録要求を受信した場合に、当該グループ着信鳴動登録要求に含まれる電話機の識別情報に、同報送信された番号通知に含まれていたグループ番号とグループ着信時の鳴動情報を対応付けて、グループ着信鳴動管理テーブルに登録するグループ着信鳴動登録手段とを有し、複数の電話機のそれぞれは、グループ着信鳴動設定装置から番号通知を受信した場合に、当該番号通知に含まれているグループ番号を表示する表示手段と、ユーザからの操作情報を受け付ける操作手段と、表示手段によって表示されているグループ番号に対して、自電話機を着信鳴動登録する旨の第一の操作を、操作手段を介してユーザから受け付けた場合に、自電話機の識別情報を含むグループ着信鳴動登録要求を、グループ着信鳴動設定装置へ送信するグループ着信鳴動登録要求手段とを有することを特徴とする電話システムを提供する。
【０００８】
また、本発明の第２の態様は、複数の電話機にグループ着信時の鳴動情報を設定するグループ着信鳴動設定装置であって、グループ番号を含む番号通知を、複数の電話機へ同報送信するグループ番号送信手段と、複数の電話機のいずれかから、当該電話機の識別情報を含むグループ着信鳴動登録要求を受信した場合に、当該グループ着信鳴動登録要求に含まれる電話機の識別情報に、同報送信された番号通知に含まれていたグループ番号とグループ着信時の鳴動情報を対応付けて、グループ着信鳴動管理テーブルに登録するグループ着信鳴動登録手段とを備えることを特徴とするグループ着信鳴動設定装置を提供する。
【発明の効果】
【０００９】
本発明によれば、簡単な操作で、複数の電話機からなる同一グループ内の電話機にグループ着信があった場合に、着信鳴動する電話機を自由に設定することができる。
【発明を実施するための最良の形態】
【００１０】
以下、本発明の実施形態について説明する。
【００１１】
図１は、本発明の一実施形態に係る電話システム１０の構成を示すシステム構成図である。電話システム１０は、主装置２０、グループ着信鳴動設定装置３０、および複数の電話機４０を備える。
【００１２】
複数の電話機４０のそれぞれは、ＬＡＮ（Local Area Network）１３に接続され、当該ＬＡＮ１３を介して他の電話機４０と、あるいは、外部ネットワーク１２を介して外部の電話機１１と通信する。本実施形態の電話システム１０は、例えばボタン電話システムであり、それぞれの電話機４０は、例えばボタン電話である。
【００１３】
主装置２０は、ＩＰ（Internet Protocol）ネットワーク等の外部ネットワーク１２およびＬＡＮ１３に接続され、ＬＡＮ１３を介して複数の電話機４０を制御する。主装置２０は、それぞれの電話機４０の識別情報に当該電話機４０のグループ番号とグループ着信時の鳴動情報が対応付けられたグループ着信鳴動管理テーブルを参照して、外部ネットワーク１２を介して外部の電話機１１から受けた着信の着信先を特定し、特定した着信先の電話機４０へ、当該着信を転送し、当該着信に応答した電話機４０と当該外部の電話機１１との通信を中継する。
【００１４】
また、主装置２０は、ＬＡＮ１３を介していずれかの電話機４０から受け付けた外線発信に基づいて、外部ネットワーク１２を介して着信先の外部の電話機１１へ発信を行うことにより、当該電話機４０と当該外部の電話機１１との通信を中継する。また、主装置２０は、電話機４０同士のグループが異なる場合にはグループ着信鳴動管理テーブルを参照して、ＬＡＮ１３を介した電話機４０同士の内線通信を中継する。
【００１５】
グループ着信鳴動設定装置３０は、複数の電話機４０のそれぞれにグループ番号とグループ着信時の鳴動情報を割り当てることにより、グループ着信鳴動管理テーブルを生成し、生成したグループ着信鳴動管理テーブルを主装置２０に供給する。
【００１６】
図２は、主装置２０の詳細な機能構成の一例を示すブロック図である。主装置２０は、グループ着信鳴動管理テーブル格納部２１、グループ着信鳴動管理テーブル更新部２２、および呼処理部２３を備える。
【００１７】
グループ着信鳴動管理テーブル格納部２１は、例えば図３に示すように、それぞれの電話機４０を識別する電話機ＩＤ２１０にグループ番号２１１とグループ着信時の鳴動情報２１２と着信番号２１３が対応付けられたグループ着信鳴動管理テーブルとを格納する。着信番号２１３はグループ番号２１１と対比させて使用し、電話機ＩＤ２１０は、例えば電話機４０のＩＰアドレスやＭＡＣ（Media Access Control）アドレス等である。
【００１８】
呼処理部２３は、グループ着信鳴動管理テーブル格納部２１内のグループ着信鳴動管理テーブルを参照して、外部ネットワーク１２を介して外部の電話機１１から受け付けた外線着信の着信先を着信番号２１３より特定し、特定した着信先の電話機４０へ、当該外線着信を転送することにより、着信先の電話機４０と発信元の外部の電話機１１との通信を中継する処理、ＬＡＮ１３を介していずれかの電話機４０から受け付けた外線発信に基づいて、外部ネットワーク１２を介して着信先の外部の電話機１１へ発信を行うことにより、当該電話機４０と当該外部の電話機１１との通信を中継する処理、および、電話機４０同士のグループが異なる場合にはグループ着信鳴動管理テーブル格納部２１内のグループ着信鳴動管理テーブルを参照して、電話機４０同士の通信を中継する処理等を行う。
【００１９】
グループ着信鳴動管理テーブル更新部２２は、ＬＡＮ１３を介してグループ着信鳴動設定装置３０からグループ着信鳴動管理テーブルと共に、更新種別を受信した場合に、受信した更新種別に従って、グループ着信鳴動管理テーブル格納部２１内のグループ着信鳴動管理テーブルを更新する。
【００２０】
例えば、グループ着信鳴動管理テーブルと共に、置き換えを示す更新種別を受信した場合、グループ着信鳴動管理テーブル更新部２２は、受信したグループ着信鳴動管理テーブルでグループ着信鳴動管理テーブル格納部２１内のグループ着信鳴動管理テーブルを置き換える。また、グループ着信鳴動管理テーブルと共に、追加を示す更新種別を受信した場合、グループ着信鳴動管理テーブル更新部２２は、受信したグループ着信鳴動管理テーブルをグループ着信鳴動管理テーブル格納部２１内のグループ着信鳴動管理テーブルに追加する。
【００２１】
また、グループ着信鳴動管理テーブルと共に、修正を示す更新種別を受信した場合、グループ着信鳴動管理テーブル更新部２２は、グループ着信鳴動管理テーブル格納部２１内のグループ着信鳴動管理テーブルと、受信したグループ着信鳴動管理テーブルとで、同一の識別情報に対応付けられているグループ番号とグループ着信時の鳴動情報については、グループ着信鳴動管理テーブル格納部２１内のグループ着信鳴動管理テーブルのグループ番号とグループ着信時の鳴動情報を、受信したグループ着信鳴動管理テーブルのグループ番号とグループ着信時の鳴動情報で置き換える。また、受信したグループ着信鳴動管理テーブル内にはあるが、グループ着信鳴動管理テーブル格納部２１内のグループ着信鳴動管理テーブルにはないグループ番号とグループ着信時の鳴動情報については、グループ着信鳴動管理テーブル更新部２２は、受信したグループ着信鳴動管理テーブル内の識別情報とグループ番号とグループ着信時の鳴動情報との組をグループ着信鳴動管理テーブル格納部２１に追加する。
【００２２】
図４は、グループ着信鳴動設定装置３０の詳細な機能構成の一例を示すブロック図である。グループ着信鳴動設定装置３０は、グループ着信鳴動管理テーブル格納部３１、電話機情報格納部３２、グループ着信鳴動登録部３３、グループ番号選択部３４、およびグループ番号送信部３５を備える。
【００２３】
電話機情報格納部３２には、例えば図５に示すように、グループ番号とグループ着信時の鳴動情報を登録する対象の電話機４０の電話機ＩＤ３２０、および、今回のグループ番号とグループ着信時の鳴動情報の設定が、置き換え、追加、または修正のいずれであるかを示す更新種別３２１が格納される。電話機情報格納部３２内の情報は、管理者等によって予め設定される。グループ着信鳴動管理テーブル格納部３１には、例えば図６に示すように、グループ着信鳴動登録部３３によって登録された、電話機ＩＤ３１０およびグループ番号３１１とグループ着信時の鳴動情報３１２との組を有するグループ着信鳴動管理テーブルが格納される。
【００２４】
グループ番号選択部３４は、ＬＡＮ１３を介して電話機４０から、グループ着信鳴動設定処理において最初に同報送信される番号通知に含まれるグループ番号である開始グループ番号を含むグループ着信鳴動設定開始要求を受信した場合に、電話機４０のグループ番号とグループ着信時の鳴動情報を設定するグループ着信鳴動設定処理の開始を、複数の電話機４０のそれぞれに、例えばマルチキャストにより通知する。
【００２５】
そして、グループ番号選択部３４は、グループ着信鳴動設定開始要求に含まれる開始グループ番号を最初に送信するグループ番号として選択し、選択したグループ番号をグループ着信鳴動登録部３３およびグループ番号送信部３５に通知する。また、グループ番号選択部３４は、グループ着信鳴動登録部３３からグループ番号とグループ着信時の鳴動情報が登録された旨を通知された場合に、グループ着信鳴動管理テーブル格納部３１および電話機情報格納部３２を参照して、電話機情報格納部３２内に格納されている全ての電話機ＩＤ３２０に、グループ番号３１１とグループ着信時の鳴動情報３１２が対応付けられているか否かを判定する。
【００２６】
電話機情報格納部３２内に格納されている電話機ＩＤ３２０の中で、グループ番号３１１とグループ着信時の鳴動情報３１２が対応付けられていないものがある場合、グループ番号選択部３４は、次のグループ番号を１つ選択し、選択したグループ番号をグループ着信鳴動登録部３３およびグループ番号送信部３５に通知する。本実施形態において、グループ番号選択部３４は、前回選択したグループ番号の値に１を加えた値を次のグループ番号として選択する。
【００２７】
また、他の形態として、グループ番号選択部３４は、グループ番号が所定の順番で予め登録されたテーブルを参照して、前回選択したグループ番号の次に登録されているグループ番号を選択したり、前回選択したグループ番号の値に１以外の所定値を加えた値をグループ番号として選択するようにしてもよい。
【００２８】
電話機情報格納部３２内に格納されている全ての電話機ＩＤ３２０に、グループ番号３１１とグループ着信時の鳴動情報３１２が対応付けられている場合、グループ番号選択部３４は、グループ着信鳴動管理テーブル格納部３１に格納されているグループ着信鳴動管理テーブルを、電話機情報格納部３２内に格納されている更新種別と共に、ＬＡＮ１３を介して主装置２０へ送り、グループ着信鳴動設定処理の終了を、複数の電話機４０のそれぞれに、例えばマルチキャストにより通知する。
【００２９】
また、グループ番号選択部３４は、ＬＡＮ１３を介して電話機４０から次のグループ番号を要求する次グループ番号要求を受信した場合に、次のグループ番号を１つ選択し、選択したグループ番号をグループ着信鳴動登録部３３およびグループ番号送信部３５に通知する。
【００３０】
なお、次グループ番号要求には、ステップを示す情報が含まれ、グループ番号選択部３４は、当該ステップに基づいて、次のグループ番号を選択するようにしてもよい。例えば、次グループ番号要求に、「１０」を示すステップ情報が含まれている場合、グループ番号選択部３４は、前回選択したグループ番号に１０を加えた値を次のグループ番号として選択する。
【００３１】
また、グループ番号選択部３４は、グループ着信鳴動設定処理の強制終了を示す終了指示を、ＬＡＮ１３を介していずれかの電話機４０から受信した場合に、グループ着信鳴動管理テーブル格納部３１に格納されているグループ着信鳴動管理テーブルを、電話機情報格納部３２内に格納されている更新種別と共に、ＬＡＮ１３を介して主装置２０へ送り、グループ着信鳴動設定処理の終了を、複数の電話機４０のそれぞれに、例えばマルチキャストにより通知する。
【００３２】
グループ番号送信部３５は、グループ番号選択部３４から通知されたグループ番号を含む番号通知を生成し、生成した番号通知を、ＬＡＮ１３を介して複数の電話機４０へ、例えばマルチキャストにより同報送信する。
【００３３】
グループ着信鳴動登録部３３は、ＬＡＮ１３を介して、いずれかの電話機４０から、当該電話機４０の識別情報を含むグループ着信鳴動登録要求を受信した場合に、直前にグループ番号選択部３４から通知された当該電話機４０の識別情報とグループ番号とグループ着信時の鳴動情報を、当該グループ着信鳴動登録要求に含まれる識別情報に対応付けてグループ着信鳴動管理テーブル格納部３１に格納し、グループ着信鳴動を登録した旨をグループ番号選択部３４に通知する。そして、グループ着信鳴動登録部３３は、登録したグループ番号とグループ着信時の鳴動情報を含む登録応答を、当該グループ番号とグループ着信時の鳴動情報の登録対象の電話機４０へ、例えばユニキャストにより通知する。
【００３４】
なお、他の形態として、それぞれの電話機４０は、自電話機に設定されるべきグループ着信鳴動を、グループ着信鳴動登録要求と共にグループ番号設定装置３０へ送信し、グループ番号登録部３３は、いずれかの電話機４０から、当該電話機４０の識別情報とグループ番号を示す情報と共にグループ番号登録要求を受信した場合に、当該電話機４０の識別情報と当該グループ番号を、当該グループ番号登録要求に含まれる識別情報に対応付けてグループ番号管理テーブル格納部３１に格納するようにしてもよい。
【００３５】
図７は、電話機４０の詳細な機能構成の一例を示すブロック図である。電話機４０は、グループ着信鳴動設定開始要求部４１、グループ着信鳴動登録要求部４２、次グループ番号要求部４３、終了指示送信部４４、表示部４５、および操作部４６を備える。なお、図７に示す例では、本実施形態に特有のグループ着信鳴動設定処理に必要な電話機４０の機能を示しており、ボタン電話としての通常の機能については省略している。
【００３６】
表示部４５は、ＬＡＮ１３を介してグループ着信鳴動設定装置３０から通知される情報に従って、電話機４０の動作モードを変更したり、グループ着信鳴動設定装置３０から通知された情報を電話機４０が有するＬＣＤ（Liquid Crystal Display）等の表示装置に表示する処理を行う。
【００３７】
グループ着信鳴動設定装置３０から通知され、表示部４５に表示される情報には、例えば、グループ着信鳴動設定処理中である旨を示す情報、同報送信されたグループ番号通知に含まれるグループ番号、および自電話機４０に対して登録されたグループ番号とグループ着信時の鳴動情報等がある。
【００３８】
操作部４６は、キーパッドや受話器と連動するフックスイッチ等であり、ユーザによる操作を操作信号に変換してグループ着信鳴動設定開始要求部４１、グループ着信鳴動登録要求部４２、次グループ番号要求部４３、および終了指示送信部４４へ送る。
【００３９】
グループ着信鳴動設定開始要求部４１は、開始グループ番号を指定する操作に続けて、グループ着信鳴動設定処理の開始を要求する旨の操作を、操作部４６を介してユーザから受け付けた場合に、指定された開始グループ番号を含むグループ着信鳴動設定開始要求を、ＬＡＮ１３を介してグループ着信鳴動設定装置３０へ送信する。
【００４０】
グループ着信鳴動設定開始要求部４１は、例えば、数字キーが押下された後に、所定時間以内に「＊」ボタンが５回連続して押下された場合に、押下された数字キーに応じたグループ番号を開始グループ番号として含むグループ着信鳴動設定開始要求をグループ着信鳴動設定装置３０へ送信する。なお、数字キーが押下されることなく「＊」が連続して５回押下された場合、グループ着信鳴動設定開始要求部４１は、開始グループ番号として所期設定値を含むグループ着信鳴動設定開始要求をグループ着信鳴動設定装置３０へ送信する。
【００４１】
グループ着信鳴動登録要求部４２は、現在表示部４５に表示されているグループ番号に対して、自電話機４０を着信鳴動登録する旨の操作を、操作部４６を介してユーザから受け付けた場合に、自電話機４０の識別情報を含むグループ着信鳴動登録要求を、ＬＡＮ１３を介してグループ着信鳴動設定装置３０へ送信する。
【００４２】
グループ着信鳴動登録要求部４２は、例えば、受話器を上げて戻す操作（オフフックした後にオンフックさせる操作）を、現在表示部４５に表示されているグループ番号に対して自電話機４０を着信鳴動登録する旨の操作として検出する。
【００４３】
次グループ番号要求部４３は、次のグループ番号を要求する旨の操作を、操作部４６を介してユーザから受け付けた場合に、次グループ番号要求をＬＡＮ１３を介してグループ着信鳴動設定装置３０へ送信する。次グループ番号要求部４３は、例えば、「＃」ボタンが押下された場合に、次グループ番号要求を送信する。なお、数字キーが押下された後に、所定時間以内に「＃」の押下を検出した場合、次グループ番号要求部４３は、押下された数字キーで示される値をステップ数とする次グループ番号要求をグループ着信鳴動設定装置３０へ送信してもよい。
【００４４】
終了指示送信部４４は、グループ着信鳴動設定処理の強制終了を示す操作を、操作部４６を介してユーザから受け付けた場合に、終了指示をＬＡＮ１３を介してグループ着信鳴動設定装置３０へ送信する。終了指示送信部４４は、例えば「＊」ボタンと「＃」ボタンとが同時に押下される操作を、グループ着信鳴動設定処理の強制終了を示す操作として検出する。
【００４５】
図８は、グループ着信鳴動設定装置３０の動作の一例を示すフローチャートである。グループ番号選択部３４がいずれかの電話機４０からグループ着信鳴動設定開始要求を受信することにより、グループ着信鳴動設定装置３０は、本フローチャートに示す動作を開始する。
【００４６】
まず、グループ番号選択部３４は、現在のグループ着信鳴動管理状態を知るために、グループ番号送信部３５を介して主装置２０へグループ着信鳴動管理テーブル要求を送信し（Ｓ１００）、主装置２０からグループ着信鳴動管理テーブルを受信したか否かを判定する（Ｓ１０１）。主装置２０からグループ着信鳴動管理テーブルを受信した場合（Ｓ１０１：Ｙｅｓ）、グループ番号選択部３４は、受信したグループ着信鳴動管理テーブルを、グループ着信鳴動登録部３３を介してグループ着信鳴動管理テーブル格納部３１に格納する（Ｓ１０２）。
【００４７】
次に、グループ番号選択部３４は、グループ着信鳴動設定開始通知を複数の電話機４０へ例えばマルチキャストにより同報送信する（Ｓ１０３）。そして、グループ番号選択部３４は、電話機４０から受信したグループ着信鳴動設定開始要求に含まれるグループ番号に従って、グループ着信鳴動設定処理において最初に同報送信するグループ番号を開始グループ番号として１つ選択し（Ｓ１０４）、選択したグループ番号をグループ着信鳴動登録部３３およびグループ番号送信部３５に通知する。
【００４８】
グループ番号送信部３５は、グループ番号選択部３４から通知されたグループ番号を含む番号通知を、複数の電話機４０へ例えばマルチキャストにより同報送信する（Ｓ１０５）。そして、グループ着信鳴動登録部３３は、いずれかの電話機４０からグループ着信鳴動登録要求を受信したか否かを判定する（Ｓ１０６）。
【００４９】
グループ着信鳴動登録要求を受信した場合（Ｓ１０６：Ｙｅｓ）、グループ着信鳴動登録部３３は、直前にグループ番号選択部３４から通知されたグループ番号とグループ着信時の鳴動情報を、当該グループ着信鳴動登録要求に含まれる識別情報に対応付けて当該電話機４０の識別情報をグループ着信鳴動管理テーブル格納部３１に登録し（Ｓ１０７）、グループ番号とグループ着信時の鳴動情報を登録した旨をグループ番号選択部３４に通知する。そして、グループ着信鳴動登録部３３は、登録したグループ番号とグループ着信時の鳴動情報を、当該グループ番号とグループ着信時の鳴動情報の登録対象の電話機４０へ、例えばユニキャストにより通知する（Ｓ１０８）。
【００５０】
次に、グループ番号選択部３４は、グループ着信鳴動管理テーブル格納部３１および電話機情報格納部３２を参照して、電話機情報格納部３２内に格納されている全ての電話機ＩＤに、グループ番号とグループ着信時の鳴動情報が対応付けられているか否かを判定する（Ｓ１０９）。電話機情報格納部３２内に格納されている全ての電話機ＩＤに、グループ番号とグループ着信時の鳴動情報が対応付けられていない場合（Ｓ１０９：Ｎｏ）、グループ番号選択部３４は、ステップＳ１１０に示す処理を実行する。
【００５１】
電話機情報格納部３２内に格納されている全ての電話機ＩＤに、グループ番号とグループ着信時の鳴動情報が対応付けられている場合（Ｓ１０９：Ｙｅｓ）、グループ番号選択部３４は、グループ着信鳴動設定処理の終了を、複数の電話機４０のそれぞれに、例えばマルチキャストにより同報送信する（Ｓ１１０）。そして、グループ番号選択部３４は、グループ着信鳴動管理テーブル格納部３１に格納されているグループ着信鳴動管理テーブルを、電話機情報格納部３２内に格納されている更新種別と共に、ＬＡＮ１３を介して主装置２０へ送信し（Ｓ１１１）、グループ着信鳴動設定装置３０は、本フローチャートに示す動作を終了する。
【００５２】
ステップＳ１０６において、グループ着信鳴動登録要求を受信していない場合（Ｓ１０６：Ｎｏ）、グループ番号選択部３４は、次グループ番号要求を受信したか否かを判定する（Ｓ１１２）。次グループ番号要求を受信した場合（Ｓ１１２：Ｙｅｓ）、グループ番号選択部３４は、次のグループ番号を１つ選択し、選択したグループ番号をグループ着信鳴動登録部３３およびグループ番号送信部３５に通知する（Ｓ１１３）。そして、グループ番号送信部３５は、グループ番号選択部３４から通知されたグループ番号を含む番号通知を、複数の電話機４０へ例えばマルチキャストにより同報送信し（Ｓ１１４）、グループ着信鳴動登録部３３は、再びステップＳ１０６に示した処理を実行する。
【００５３】
ステップＳ１１２において、次グループ番号要求を受信していない場合（Ｓ１１２：Ｎｏ）、グループ番号選択部３４は、終了指示を受信したか否かを判定する（Ｓ１１５）。終了指示を受信していない場合（Ｓ１１５：Ｎｏ）、グループ番号選択部３４は、再びステップＳ１０３に示した処理を実行する。終了指示を受信した場合（Ｓ１１５：Ｙｅｓ）、グループ番号選択部３４は、ステップＳ１１０に示した処理を実行する。
【００５４】
図９および図１０は、電話機４０の動作の一例を示すフローチャートである。例えば電源投入等の所定のタイミングで、電話機４０は、本フローチャートに示す動作を開始する。なお、発着信等のボタン電話としての通常の処理に関しては本フローチャートでは省略されている。
【００５５】
まず、グループ着信鳴動設定開始要求部４１は、操作部４６を介して、グループ着信鳴動設定処理の開始を要求する操作を検出したか否かを判定する（Ｓ２００）。グループ着信鳴動設定処理の開始を要求する操作を検出した場合（Ｓ２００：Ｙｅｓ）、グループ着信鳴動設定開始要求部４１は、グループ着信鳴動設定開始要求を、ＬＡＮ１３を介してグループ着信鳴動設定装置３０へ送信し（Ｓ２０１）、再びステップＳ２００に示した処理を実行する。
【００５６】
なお、ステップＳ２０１において、開始グループ番号を指定する操作に続けて、グループ着信鳴動設定処理の開始を要求する旨の操作を受け付けた場合、グループ着信鳴動設定開始要求部４１は、指定された開始グループ番号を含むグループ着信鳴動設定開始要求を、ＬＡＮ１３を介してグループ着信鳴動設定装置３０へ送信する。開始グループ番号を指定する操作を受け付けていない場合、グループ着信鳴動設定開始要求部４１は、初期設定値等の予め設定されているグループ番号を開始グループ番号として含むグループ着信鳴動設定開始要求を送信する。
【００５７】
グループ着信鳴動設定処理の開始を要求する操作を検出していない場合（Ｓ２００：Ｎｏ）、表示部４５は、グループ着信鳴動設定開始通知を受信したか否かを判定する（Ｓ２０２）。グループ着信鳴動設定開始通知を受信した場合（Ｓ２０２：Ｙｅｓ）、表示部４５は、グループ着信鳴動設定処理中である旨を表示装置に表示し（Ｓ２０３）、グループ着信鳴動設定開始要求部４１は、再びステップＳ２００に示した処理を実行する。
【００５８】
グループ着信鳴動設定開始通知を受信していない場合（Ｓ２０２：Ｎｏ）、表示部４５は、番号通知を受信したか否かを判定する（Ｓ２０４）。番号通知を受信した場合（Ｓ２０４：Ｙｅｓ）、表示部４５は、受信した番号通知に含まれるグループ番号を表示装置に表示し（Ｓ２０５）、グループ着信鳴動設定開始要求部４１は、再びステップＳ２００に示した処理を実行する。
【００５９】
番号通知を受信していない場合（Ｓ２０４：Ｎｏ）、グループ着信鳴動登録要求部４２は、操作部４６を介して、グループ番号とグループ着信時の鳴動情報の登録を要求する操作を検出したか否かを判定する（Ｓ２０６）。グループ番号とグループ着信時の鳴動情報の登録を要求する操作を検出した場合（Ｓ２０６：Ｙｅｓ）、グループ着信鳴動登録要求部４２は、自電話機４０の識別情報を含むグループ着信鳴動登録要求を、ＬＡＮ１３を介してグループ着信鳴動設定装置３０へ送信し（Ｓ２０７）、グループ着信鳴動設定開始要求部４１は、再びステップＳ２００に示した処理を実行する。
【００６０】
グループ番号とグループ着信時の鳴動情報の登録を要求する操作を検出していない場合（Ｓ２０６：Ｎｏ）、表示部４５は、登録応答を受信したか否かを判定する（Ｓ２０８）。登録応答を受信した場合（Ｓ２０８：Ｙｅｓ）、表示部４５は、受信した登録応答に含まれるグループ番号とグループ着信時の鳴動情報を、自電話機４０に対して登録されたグループ番号とグループ着信時の鳴動情報として表示装置に表示し（Ｓ２０９）、グループ着信鳴動設定開始要求部４１は、再びステップＳ２００に示した処理を実行する。
【００６１】
登録応答を受信していない場合（Ｓ２０８：Ｎｏ）、次グループ番号要求部４３は、操作部４６を介して、次グループ番号を要求する操作を検出したか否かを判定する（Ｓ２１０）。次グループ番号を要求する操作を検出した場合（Ｓ２１０：Ｙｅｓ）、次グループ番号要求部４３は、次グループ番号要求をＬＡＮ１３を介してグループ着信鳴動設定装置３０へ送信し（Ｓ２１１）、グループ着信鳴動設定開始要求部４１は、再びステップＳ２００に示した処理を実行する。
【００６２】
次グループ番号を要求する操作を検出していない場合（Ｓ２１０：Ｎｏ）、終了指示送信部４４は、グループ着信鳴動設定処理の強制終了を要求する操作を検出したか否かを判定する（Ｓ２１２）。グループ着信鳴動設定処理の強制終了を要求する操作を検出した場合（Ｓ２１２：Ｙｅｓ）、終了指示送信部４４は、終了指示をＬＡＮ１３を介してグループ着信鳴動設定装置３０へ送信し（Ｓ２１３）、グループ着信鳴動設定開始要求部４１は、再びステップＳ２００に示した処理を実行する。
【００６３】
グループ着信鳴動設定処理の強制終了を要求する操作を検出していない場合（Ｓ２１２：Ｎｏ）、表示部４５は、グループ着信鳴動設定終了通知を受信したか否かを判定する（Ｓ２１４）。グループ着信鳴動設定終了通知を受信していない場合（Ｓ２１４：Ｎｏ）、グループ着信鳴動設定開始要求部４１は、再びステップＳ２００に示した処理を実行する。グループ着信鳴動設定終了通知を受信した場合（Ｓ２１４：Ｙｅｓ）、表示部４５は、電話機４０を通常動作モードへ移行させ、電話機４０は、本フローチャートに示す動作を終了する。
【００６４】
次に、グループ着信鳴動設定処理における電話システム１０全体の動作について、図１１を用いて説明する。図１１は、電話システム１０の動作の一例を示すシーケンス図である。
【００６５】
まず、グループ着信鳴動設定装置３０は、いずれかの電話機４０（本例では電話機４０−２）から送信されたグループ着信鳴動設定開始要求を受信し（Ｓ３００）、グループ着信鳴動管理テーブル要求を主装置２０へ送信する（Ｓ３０１）。グループ着信鳴動管理テーブル要求を受信した主装置２０は、グループ着信鳴動管理テーブルをグループ着信鳴動設定装置３０へ送信する（Ｓ３０２）。グループ着信鳴動管理テーブルを受信したグループ着信鳴動設定装置３０は、受信したグループ着信鳴動管理テーブルをグループ着信鳴動管理テーブル格納部３１に格納して、グループ着信鳴動設定開始通知を複数の電話機４０へ同報送信する（Ｓ３０３）。それぞれの電話機４０は、グループ着信鳴動設定処理中である旨を表示する（Ｓ３０５）。
【００６６】
次に、グループ着信鳴動設定装置３０は、受信したグループ着信鳴動設定開始要求に含まれるグループ番号に従って、最初に同報送信するグループ番号を１つ選択し（Ｓ３０４）、選択したグループ番号を含む番号通知を、該当するグループ番号の複数の電話機４０へ同報送信する（Ｓ３０６）。それぞれの電話機４０は、受信した番号通知に含まれるグループ番号を表示する（Ｓ３０７、Ｓ３０８）。
【００６７】
次に、いずれかの電話機４０（この場合は電話機４０−１）が、自電話機４０の識別情報を含むグループ着信鳴動登録要求をグループ着信鳴動設定装置３０へ送信し（Ｓ３０９）、グループ着信鳴動設定装置３０は、ステップＳ３０６で同報送信した番号通知に含まれるグループ番号とグループ着信時の鳴動情報を、グループ着信鳴動登録要求に含まれる識別情報に対応付けてグループ着信鳴動設定装置３０内のグループ着信鳴動管理テーブルに登録する（Ｓ３１０）。
【００６８】
そして、グループ着信鳴動設定装置３０は、登録したグループ番号とグループ着信時の鳴動情報を含む登録応答を、当該グループ番号とグループ着信時の鳴動情報を登録した電話機４０へ、例えばユニキャストにより送信し（Ｓ３１１）登録応答を受信した電話機４０は、登録応答に含まれるグループ番号とグループ着信時の鳴動情報を、自電話機４０に対して登録されたグループ番号とグループ着信時の鳴動情報として表示する（Ｓ３１２）。
【００６９】
次に、いずれかの電話機４０（この場合は電話機４０−２）が、次グループ番号要求をグループ着信鳴動設定装置３０へ送信し（Ｓ３１３）、グループ着信鳴動設定装置３０は、所定のルールに従って次のグループ番号を１つ選択し（Ｓ３１４）、選択したグループ番号を含む番号通知を、該当するグループ番号の複数の電話機４０へ同報送信する（Ｓ３１５）。それぞれの電話機４０は、受信した番号通知に含まれるグループ番号を表示する（この場合は電話機４０−２と４０−４とする。Ｓ３１６、Ｓ３１７）。
【００７０】
このとき、既に登録応答を受信しているグループ番号の電話機４０（この場合は電話機４０−１、電話機４０−３）は、その後に番号通知を受信しても、受信した番号通知に含まれるグループ番号を表示せず、登録応答に含まれるグループ番号の表示を続ける。
【００７１】
次に、いずれかの電話機４０（この場合は電話機４０−２）が、自電話機４０の識別情報を含むグループ着信鳴動登録要求をグループ着信鳴動設定装置３０へ送信し（Ｓ３１８）、グループ着信鳴動設定装置３０は、ステップＳ３０６で同報送信した番号通知に含まれるグループ番号とグループ着信時の鳴動情報を、グループ着信鳴動登録要求に含まれる識別情報に対応付けて登録する（Ｓ３１９）。そして、グループ着信鳴動設定装置３０は、登録したグループ番号とグループ着信時の鳴動情報を含む登録応答を、グループ番号とグループ着信時の鳴動情報を登録した電話機４０へ、例えばユニキャストにより送信し（Ｓ３２０）登録応答を受信した電話機４０は、登録応答に含まれるグループ番号とグループ着信時の鳴動情報を表示する（Ｓ３２１）。
【００７２】
同様にして、同一グループ内の他の電話機（この場合は電話機４０−４）においても、グループ着信鳴動登録要求（Ｓ３２２）、グループ着信鳴動登録（Ｓ３２３）、グループ着信鳴動登録応答（Ｓ３２４）、グループ着信鳴動表示（Ｓ３２５）が実行される。
【００７３】
そして、グループ番号とグループ着信時の鳴動情報の設定対象の全ての電話機４０について、グループ番号とグループ着信時の鳴動情報の登録が終了したことを検出した場合（Ｓ３２６）、グループ着信鳴動設定装置３０は、グループ着信鳴動設定終了通知を、複数の電話機４０へ同報送信する（Ｓ３２７）。それぞれの電話機４０は、グループ着信鳴動設定終了通知を受信して、通常動作モードへ移行する（Ｓ３２８）。グループ着信鳴動設定装置３０は、グループ着信鳴動管理テーブルを更新種別と共に主装置２０へ送信する（Ｓ３２９）。
【００７４】
以上、本発明の実施形態について説明した。
【００７５】
上記説明から明らかなように、本実施形態の電話システム１０によれば、複数の電話機４０からなる同一グループ内の電話機にグループ着信があった場合に、着信鳴動する電話機を自由に設定することができる。
【００７６】
なお、本発明は上記した実施形態に限定されるものではなく、その要旨の範囲内で数々の変形が可能である。
【００７７】
例えば、上記した実施形態では、電話機４０は、ボタン電話であり、主装置２０および複数の電話機４０は、ボタン電話システムを構成していたが、他の形態として、それぞれの電話機４０は、それぞれが単体で発着信が可能なＩＰ電話機等であってもよい。
【００７８】
また、上記した実施形態において、主装置２０と、グループ着信鳴動設定装置３０とは、それぞれ別々の装置として説明したが、他の形態として、これらの装置は１つの装置として実現されていてもよい。
【図面の簡単な説明】
【００７９】
【図１】本発明の一実施形態に係る電話システム１０の構成を示すシステム構成図である。
【図２】主装置２０の詳細な機能構成の一例を示すブロック図である。
【図３】グループ着信鳴動管理テーブル格納部２１に格納されるグループ着信鳴動管理テーブルのデータ構造の一例を示す図である。
【図４】グループ着信鳴動設定装置３０の詳細な機能構成の一例を示すブロック図である。
【図５】電話機情報格納部３２に格納されるデータの構造の一例を示す図である。
【図６】グループ着信鳴動管理テーブル格納部３１に格納されるグループ着信鳴動管理テーブルのデータ構造の一例を示す図である。
【図７】電話機４０の詳細な機能構成の一例を示すブロック図である。
【図８】グループ着信鳴動設定装置３０の動作の一例を示すフローチャートである。
【図９】電話機４０の動作の一例を示すフローチャートである。
【図１０】電話機４０の動作の一例を示すフローチャートである。
【図１１】電話システム１０の動作の一例を示すシーケンス図である。
【符号の説明】
【００８０】
１０・・・電話システム、１１・・・外部の電話機、１２・・・外部ネットワーク、１３・・・ＬＡＮ、２０・・・主装置、２１・・・グループ着信鳴動管理テーブル格納部、２１０・・・電話機ＩＤ、２１１・・・グループ番号、２２・・・グループ着信鳴動管理テーブル更新部、２３・・・呼処理部、３０・・・グループ着信鳴動設定装置、３１・・・グループ着信鳴動管理テーブル格納部、３１０・・・電話機ＩＤ、３１１・・・グループ番号、３２・・・電話機情報格納部、３２０・・・電話機ＩＤ、３２１・・・更新種別、３３・・・グループ着信鳴動登録部、３４・・・グループ番号選択部、３５・・・グループ番号送信部、４０・・・電話機、４１・・・グループ着信鳴動設定開始要求部、４２・・・グループ着信鳴動登録要求部、４３・・・次グループ番号要求部、４４・・・終了指示送信部、４５・・・表示部、４６・・・操作部
【図１】
2008227902.tif 000003
【図２】
2008227902.tif 000004
【図３】
2008227902.tif 000005
【図４】
2008227902.tif 000006
【図５】
2008227902.tif 000007
【図６】
2008227902.tif 000008
【図７】
2008227902.tif 000009
【図８】
2008227902.tif 000010
【図９】
2008227902.tif 000011
【図１０】
2008227902.tif 000012
【図１１】
2008227902.tif 000013